(57)【特許請求の範囲】
【請求項１】
交流電圧の位相制御を行う位相調光器と、
前記交流電圧の位相角に応じた位相調光機能を持つ複数のＬＥＤ照明機器と、
系内にただ一つ設けられて前記位相調光器にブリーダ電流を供給するブリーダ回路と、
を有し、
前記ブリーダ回路は、ＬＥＤ照明機能を持たないブリーダモジュールに組み込まれており、
前記複数のＬＥＤ照明機器と前記ブリーダモジュールは、それぞれ互いに着脱可能なコネクタを有し、
前記ブリーダモジュールは、前記複数のＬＥＤ照明機器のいずれか一つに接続される、
ことを特徴とするＬＥＤ照明システム。
【請求項２】
前記ブリーダ回路は、
前記交流電圧を整流して得られる整流電圧が閾値電圧を下回っている期間において、前記整流電圧の印加端から接地端に向けたバイパス電流を流し、
前記整流電圧が前記閾値電圧を上回っているものの、前記位相調光器に流れる電流が閾値電流を下回っている期間において、前記位相調光器に前記ブリーダ電流を流し、
前記整流電圧が前記閾値電圧を上回っており、かつ、前記位相調光器に流れる電流が前記閾値電流を上回っている期間において、前記バイパス電流と前記ブリーダ電流をいずれも停止する、
ことを特徴とする請求項１に記載のＬＥＤ照明システム。
【請求項３】
前記位相調光器は、トライアック調光器であることを特徴とする請求項１または請求項２に記載のＬＥＤ照明システム。
【請求項４】
請求項１〜請求項３のいずれか一項に記載のＬＥＤ照明システムで用いられるブリーダモジュールであって、位相調光器にブリーダ電流を供給するためのブリーダ回路を持つ一方でＬＥＤ照明機能を持たず、ＬＥＤ照明機器に着脱可能なコネクタを有することを特徴とするブリーダモジュール。
【請求項５】
請求項１〜請求項３のいずれか一項に記載のＬＥＤ照明システムで用いられるＬＥＤ照明機器であって、交流電圧の位相角に応じた位相調光機能を持つ一方で位相調光器にブリーダ電流を供給するブリーダ回路を持たないことを特徴とするＬＥＤ照明機器。
【請求項６】
前記ブリーダ回路は、ＬＥＤ照明機能を持たないブリーダモジュールに組み込まれており、
前記ＬＥＤ照明機器は、前記ブリーダモジュールに着脱可能なコネクタを有することを特徴とする請求項５に記載のＬＥＤ照明機器。
【請求項７】
交流電圧の位相制御を行う位相調光器と、
前記交流電圧の位相角に応じた位相調光機能を持つ複数のＬＥＤ照明機器と、
系内にただ一つ設けられて前記位相調光器にブリーダ電流を供給するブリーダ回路と、
を有するＬＥＤ照明システムで用いられるＬＥＤ照明機器であって、
前記交流電圧の位相角に応じた位相調光機能を持つ一方で前記位相調光器にブリーダ電流を供給するブリーダ回路を持たないことを特徴とするＬＥＤ照明機器。
【発明の詳細な説明】
【技術分野】
【０００１】
本発明は、ＬＥＤ［light emitting diode］照明システムに関するものである。
【背景技術】
【０００２】
近年、位相調光器（トライアック調光器など）に対応したＬＥＤ照明機器（例えば位相調光機能を備えた白熱電球型ＬＥＤランプ）が種々実用化されている。
【０００３】
なお、上記に関連する従来技術の一例としては、特許文献１を挙げることができる。
【先行技術文献】
【特許文献】
【０００４】
【特許文献１】特開２０１０−７３６８９号公報
【発明の概要】
【発明が解決しようとする課題】
【０００５】
ところで、トライアック調光器は、回路構造上、そのオン時に流れるトライアック電流Ｉｄｉｍとして所定値以上の保持電流Ｉｈｌｄを流しておかなければ、誤動作（誤オフ）を生じてチラつき（フリッカ）の原因となる。そのため、図６及び図７で示したように、トライアック調光器ＤＩＭに対応したＬＥＤ照明機器Ｚ１０は、位相調光機能を備えたＬＥＤドライバＺ１１のほか、トライアック調光器ＤＩＭのオン時にブリーダ電流ＩＢを生成するブリーダ回路Ｚ１２を有する構成とされていた。
【０００６】
ブリーダ回路Ｚ１２は、トライアック調光器ＤＩＭの誤動作を防止する手段として非常に有効である。しかしながら、単一のトライアック調光器ＤＩＭに複数のＬＥＤ照明機器Ｚ１０が並列接続されたＬＥＤ照明システムでは、複数のＬＥＤ照明機器Ｚ１０毎に独立してブリーダ電流ＩＢが生成されるので、トライアック調光器ＤＩＭのオン時に不要な電力損失を生じるという課題があった（図８Ａを参照）。また、複数のブリーダ電流ＩＢに生じるリンギングが重畳した場合には、トライアック電流Ｉｄｉｍが瞬間的に保持電流Ｉｈｌｄを下回り、ブリーダ電流ＩＢを流しているにも関わらず、トライアック調光器ＤＩＭの誤動作を生じるという課題もあった（図８Ｂを参照）。
【０００７】
本発明は、本願の発明者により見出された上記の課題に鑑み、ブリーダ回路での不要な電力損失やトライアック調光器の誤動作を防止することが可能なＬＥＤ照明システムを提供することを目的とする。
【課題を解決するための手段】
【０００８】
上記目的を達成するために、本発明に係るＬＥＤ照明システムは、交流電圧の位相制御を行う位相調光器と、前記交流電圧の位相角に応じた位相調光機能を持つ複数のＬＥＤ照明機器と、系内にただ一つ設けられて前記位相調光器にブリーダ電流を供給するブリーダ回路と、を有する構成（第１の構成）とされている。
【０００９】
なお、上記第１の構成から成るＬＥＤ照明システムにおいて、前記ブリーダ回路は、ＬＥＤ照明機能を持たないブリーダモジュールに組み込まれている構成（第２の構成）にするとよい。
【００１０】
また、上記第２の構成から成るＬＥＤ照明システムにおいて、前記複数のＬＥＤ照明機器と前記ブリーダモジュールは、それぞれ前記交流電圧の印加ラインに着脱可能なコネクタを有し、前記ブリーダモジュールは、前記複数のＬＥＤ照明機器と並列に前記交流電圧の印加ラインに接続される構成（第３の構成）にするとよい。
【００１１】
また、上記第２の構成から成るＬＥＤ照明システムにおいて、前記複数のＬＥＤ照明機器と前記ブリーダモジュールは、それぞれ互いに着脱可能なコネクタを有し、前記ブリーダモジュールは、前記複数のＬＥＤ照明機器のいずれか一つに接続される構成（第４の構成）にするとよい。
【００１２】
また、上記第１の構成から成るＬＥＤ照明システムにおいて、前記ブリーダ回路は、前記複数のＬＥＤ照明機器のいずれか一つに組み込まれている構成（第５の構成）にするとよい。
【００１３】
また、上記第１〜第５いずれかの構成から成るＬＥＤ照明システムにおいて、前記ブリーダ回路は、前記交流電圧を整流して得られる整流電圧が閾値電圧を下回っている期間において、前記整流電圧の印加端から接地端に向けたバイパス電流を流し、前記整流電圧が前記閾値電圧を上回っているものの、前記位相調光器に流れる電流が閾値電流を下回っている期間において、前記位相調光器に前記ブリーダ電流を流し、前記整流電圧が前記閾値電圧を上回っており、かつ、前記位相調光器に流れる電流が前記閾値電流を上回っている期間において、前記バイパス電流と前記ブリーダ電流をいずれも停止する構成（第６の構成）にするとよい。
【００１４】
また、上記第１〜第６いずれかの構成から成るＬＥＤ照明システムにおいて、前記位相調光器は、トライアック調光器である構成（第７の構成）にするとよい。
【００１５】
また、本発明に係るブリーダモジュールは、上記第２〜第４いずれかの構成から成るＬＥＤ照明システムで用いられるものであり、位相調光器にブリーダ電流を供給するためのブリーダ回路を持つ一方でＬＥＤ照明機能を持たない構成（第８の構成）とされている。
【００１６】
なお、上記第８の構成から成るブリーダモジュールは、交流電圧の印加ラインに着脱可能なコネクタを有する構成（第９の構成）にするとよい。
【００１７】
また、上記第８の構成から成るブリーダモジュールは、ＬＥＤ照明機器に着脱可能なコネクタを有する構成（第１０の構成）にするとよい。
【００１８】
また、本発明に係るＬＥＤ照明機器は、上記第１〜第７いずれかの構成から成るＬＥＤ照明システムで用いられるものであり、交流電圧の位相角に応じた位相調光機能を持つ一方で位相調光器にブリーダ電流を供給するブリーダ回路を持たない構成（第１１の構成）とされている。
【００１９】
なお、上記第１１の構成から成るＬＥＤ照明機器は、前記ブリーダ回路を持つ一方でＬＥＤ照明機能を持たないブリーダモジュールに着脱可能なコネクタを有する構成（第１２の構成）にするとよい。
【発明の効果】
【００２０】
本発明によれば、ブリーダ回路での不要な電力損失やトライアック調光器の誤動作を防止することが可能なＬＥＤ照明システムを提供することができる。
【図面の簡単な説明】
【００２１】
【図１】ＬＥＤ照明システムの第１実施形態を示す図
【図２】ＬＥＤ照明機器Ｘ１０の一構成例を示す図
【図３】ブリーダ電流生成動作の一例を示すタイミングチャート
【図４】ＬＥＤ照明システムの第２実施形態を示す図
【図５】ＬＥＤ照明システムの第３実施形態を示す図
【図６】ＬＥＤ照明機器の一従来例を示す図
【図７】ブリーダ電流生成動作の一従来例を示すタイミングチャート
【図８Ａ】第１の課題（ブリーダ電流の重複による不要な電力損失）を示す図
【図８Ｂ】第２の課題（リンギングによるトライアック調光器の誤動作）を示す図
【発明を実施するための形態】
【００２２】
＜第１実施形態＞
図１は、ＬＥＤ照明システムの第１実施形態を示す図である。第１実施形態のＬＥＤ照明システム１は、トライアック調光器ＤＩＭと、単一のＬＥＤ照明機器Ｘ１０（ブリーダ回路搭載型）と、複数のＬＥＤ照明機器Ｙ１０（ブリーダ回路非搭載型）と、を有する。
【００２３】
トライアック調光器ＤＩＭは、商用交流電源Ｐから供給される交流電圧ＶＡＣの位相制御を行う。より具体的に述べると、トライアック調光器ＤＩＭは、交流電圧ＶＡＣが所定の位相角に達するまでオフとなり、ＬＥＤ照明機器Ｘ１０及びＹ１０への給電経路を遮断する。一方、トライアック調光器ＤＩＭは、交流電圧ＶＡＣが所定の位相角に達して以後オンとなり、ＬＥＤ照明機器Ｘ１０及びＹ１０への給電経路を導通する。ただし、従来技術の項でも述べた通り、トライアック調光器ＤＩＭは、回路構造上、そのオン時に流れるトライアック電流Ｉｄｉｍとして所定値以上の保持電流Ｉｈｌｄを流しておかなければ、誤動作（誤オフ）を生じてチラつき（フリッカ）の原因となる。
【００２４】
ＬＥＤ照明機器Ｘ１０及びＹ１０は、それぞれ、コネクタＸ１１及びＹ１１と、全波整流回路Ｘ１２及びＹ１２と、ＬＥＤドライバ回路Ｘ１３及びＹ１３と、ＬＥＤモジュールＸ１４及びＹ１４と、を有する。
【００２５】
コネクタＸ１１及びＹ１１は、それぞれ、交流電圧ＶＡＣの印加ラインに着脱可能な形状を有する。特に、コネクタＸ１１及びＹ１１は同一規格に準拠することが望ましい。
【００２６】
全波整流回路Ｘ１２及びＹ１２は、それぞれ、コネクタＸ１１及びＹ１１から入力される交流電圧ＶＡＣを全波整流して整流電圧ＶＩＮを生成する。全波整流回路Ｘ１２及びＹ１２としては、ダイオードブリッジを好適に用いることができる。なお、全波整流回路Ｘ１２及びＹ１２の前段にノイズやサージを除去するためのフィルタ回路を設けてもよい。
【００２７】
ＬＥＤドライバ回路Ｘ１３及びＹ１３は、それぞれ、整流電圧ＶＩＮの入力を受けて、ＬＥＤモジュールＸ１４及びＹ１４の駆動電圧ＶＯＵＴや駆動電流ＩＬＥＤを生成する。なお、ＬＥＤドライバ回路Ｘ１３及びＹ１３は、いずれも、整流電圧ＶＩＮの位相角に応じて駆動電流ＩＬＥＤのＰＷＭ［pulse width modulation］制御を行う位相調光機能を備えている。
【００２８】
ＬＥＤモジュールＸ１４及びＹ１４は、それぞれ、昼光色（色温度５０００Ｋ程度）や電球色（色温度３０００Ｋ程度）の光を発するＬＥＤ照明機器Ｘ１０及びＹ１０の光源であり、単一または複数のＬＥＤ素子を含む。
【００２９】
また、ＬＥＤ照明機器Ｘ１０は、上記構成要素Ｘ１１〜Ｘ１４のほかに、ブリーダ回路Ｘ１５を有する。ブリーダ回路Ｘ１５は、トライアック調光器ＤＩＭのオン時にブリーダ電流ＩＢを生成する。
【００３０】
上記したように、第１実施形態のＬＥＤ照明システム１において、系内にただ一つ設けられたＬＥＤ照明機器Ｘ１０はブリーダ回路搭載型であり、系内に複数（ないしは少なくとも一つ）設けられたＬＥＤ照明機器Ｙ１０はブリーダ回路非搭載型である。
【００３１】
すなわち、第１実施形態のＬＥＤ照明システム１において、ブリーダ回路Ｘ１５は、系内に複数設けられたＬＥＤ照明機器Ｘ１０及びＹ１０のうち、いずれか一つ（ＬＥＤ照明機器Ｘ１０）にのみ組み込まれている。
【００３２】
このように、トライアック調光器ＤＩＭにブリーダ電流ＩＢを供給する手段として、ＬＥＤ照明システム１の系内にただ一つのブリーダ回路Ｘ１５を設ける構成であれば、複数のブリーダ電流ＩＢが重複して生成されないので、不要な電力損失やリンギングの重畳に起因するトライアック調光器ＤＩＭの誤動作を防止することが可能となる。
【００３３】
図２は、ＬＥＤ照明機器Ｘ１０の一構成例を示す図である。本構成例のＬＥＤ照明機器Ｘ１０において、ブリーダ回路Ｘ１５は、抵抗１０１及び１０２と、コンパレータ１０３と、Ｎチャネル型ＭＯＳ［metal oxide semiconductor］電界効果トランジスタ２０１及び２０２と、抵抗２０３〜２０５と、コンパレータ２０６と、ブリーダ電流制御部２０７と、ドライバ２０８と、インバータ２０９と、を含む。また、ＬＥＤドライバ回路Ｘ１３は、ＤＣ／ＤＣコンバータ３０１と、駆動電流制御部３０２と、コンデンサ３０３と、Ｎチャネル型  ＭＯＳ電界効果トランジスタ３０４と、抵抗３０５と、ドライバ３０６と、を含む。なお、ＬＥＤ照明機器Ｙ１０についても、ブリーダ回路Ｘ１５を除いて、上記と同様の構成要素を有する。
【００３４】
コネクタＸ１１の第１端は、全波整流回路（ダイオードブリッジ）Ｘ１２の第１入力端に接続されている。コネクタＸ１１の第２端は、全波整流回路Ｘ１２の第２入力端に接続されている。全波整流回路Ｘ１２の第１出力端は、ＤＣ／ＤＣコンバータ３０１の入力端に接続される一方、抵抗１０１及び２０３の第１端に接続されている。抵抗１０１の第２端は、コンパレータ１０３の非反転入力端（＋）に接続される一方、抵抗１０２を介して接地端にも接続されている。コンパレータ１０３の反転入力端（−）は、閾値電圧Ｖｔｈ１の印加端に接続されている。コンパレータ１０３の出力端は、ブリーダ電流制御部２０７と駆動電流制御部３０２に接続されている。
【００３５】
抵抗２０３の第２端は、トランジスタ２０１のドレインに接続されている。トランジスタ２０１のソースは、トランジスタ２０２のドレインに接続される一方、抵抗２０４の第１端にも接続されている。トランジスタ２０１のゲートは、ドライバ２０８の出力端に接続されている。ドライバ２０８の入力端はブリーダ電流制御部２０７に接続されている。トランジスタ２０２のソースは、接地端に接続されている。トランジスタ２０２のゲートは、インバータ２０９の出力端に接続されている。インバータ２０９の入力端は、ブリーダ電流制御部２０７に接続されている。
【００３６】
抵抗２０４の第２端は、コンパレータ２０６の反転入力端（−）と、抵抗２０５の第１端と、全波整流回路Ｘ１２の第２出力端に接続されている。抵抗２０５の第２端は、接地端に接続されている。コンパレータ２０６の非反転入力端（＋）は、閾値電圧Ｖｔｈ２の印加端に接続されている。コンパレータ２０６の出力端は、ブリーダ電流制御部２０７に接続されている。
【００３７】
ＤＣ／ＤＣコンバータ３０１の出力端は、ＬＥＤモジュールＸ１４のアノードに接続される一方、コンデンサ３０３を介して接地端にも接続されている。ＬＥＤモジュール１４のカソードは、トランジスタ３０４のドレインに接続されている。トランジスタ３０４のソースは、抵抗３０５の第１端に接続される一方、駆動電流制御部３０２にも接続されている。トランジスタ３０４のゲートは、ドライバ３０６の出力端に接続されている。ドライバ３０６の入力端は、駆動電流制御部３０２に接続されている。抵抗３０５の第２端は抵抗２０５の第２端に接続されている。
【００３８】
上記構成から成るＬＥＤ照明機器Ｘ１０において、抵抗１０１及び１０２は、整流電圧ＶＩＮを分圧して分圧電圧Ｖａを生成する。コンパレータ１０３は、非反転入力端（＋）に印加される分圧電圧Ｖａと、反転入力端（−）に印加される閾値電圧Ｖｔｈ１とを比較して比較信号ＣＭＰ１を生成する。比較信号ＣＭＰ１は、分圧電圧Ｖａが閾値電圧Ｖｔｈ１よりも高いときにハイレベルとなり、逆に、分圧電圧Ｖａが閾値電圧Ｖｔｈ１よりも低いときにローレベルとなる。従って、比較信号ＣＭＰ１のデューティ（＝ＴＨ／（ＴＨ＋ＴＬ））を監視することにより、分圧電圧Ｖａ（延いては交流電圧ＶＡＣ）の位相角を検出することができる（図３を参照）。
【００３９】
なお、図２では、抵抗１０１及び１０２とコンパレータ１０３をブリーダ回路Ｘ１５の構成要素として描写したが、比較信号ＣＭＰ１がブリーダ電流制御部２０７だけでなく、駆動電流制御部３０２にも送出されていることから分かるように、抵抗１０１及び１０２とコンパレータ１０３は、ＬＥＤドライバ回路Ｘ１３の構成要素としても機能する。すなわち、抵抗１０１及び１０２とコンパレータ１０３は、ＬＥＤドライバ回路Ｘ１３とブリーダ回路Ｘ１５に共用されている。従って、ブリーダ回路Ｘ１５を持たないＬＥＤ照明機器Ｙ１０では、抵抗１０１及び１０２とコンパレータ１０３がＬＥＤドライバ回路Ｘ１３の構成要素として組み込まれる形となる。
【００４０】
ＬＥＤドライバ回路Ｘ１３において、ＤＣ／ＤＣコンバータ３０１は、整流電圧ＶＩＮを降圧及び平滑して駆動電圧ＶＯＵＴを生成し、これをＬＥＤモジュールＸ１４のアノードに供給する。なお、ＤＣ／ＤＣコンバータ３０１の出力端に接続されたコンデンサ３０３は、駆動電圧ＶＯＵＴを平滑するための出力コンデンサである。
【００４１】
駆動電流制御部３０２は、コンパレータ１０３から入力される比較信号ＣＭＰ１に応じてＬＥＤモジュールＸ１４の駆動電流ＩＬＥＤを制御する。具体的に述べると、駆動電流制御部３０２は、抵抗３０５（抵抗値：Ｒｓ）の第１端に現れる電流検出電圧Ｖｃ（＝ＩＬＥＤ×Ｒｓ）が比較信号ＣＭＰ１に応じて設定される目標値と一致するようにトランジスタ３０４のオン／オフ制御信号を生成する。ドライバ３０６は、このオン／オフ制御信号の電流能力を増幅してトランジスタ３０４のゲート信号を生成する。このような構成とすることにより、交流電圧ＶＡＣの位相制御を行うトライアック調光器ＤＩＭを用いて、ＬＥＤ照明機器Ｘ１０の位相調光制御を行うことが可能となる。
【００４２】
一方、ブリーダ回路Ｘ１５において、コンパレータ２０６は、反転入力端（−）に印加される電流検出電圧Ｖｂと、非反転入力端（＋）に印加される所定の閾値電圧Ｖｔｈ２とを比較して比較信号ＣＭＰ２を生成する。電流検出電圧Ｖｂは、抵抗２０５に流れる電源入力電流Ｉｓｕｐが大きいほど低くなり、逆に、電源入力電流Ｉｓｕｐが小さいほど高くなる負電圧である。従って、比較信号ＣＭＰ２は、電源入力電流Ｉｓｕｐが閾値電流よりも大きく、電流検出電圧Ｖｂが閾値電圧Ｖｔｈ２よりも低いときにハイレベルとなり、逆に、電源入力電流Ｉｓｕｐが閾値電流よりも小さく、電流検出電圧Ｖｂが閾値電圧Ｖｔｈ２よりも高いときにローレベルとなる。比較信号ＣＭＰ２は、ブリーダ電流制御部２０７に送出される。
【００４３】
ブリーダ電流制御部２０７は、比較信号ＣＭＰ１及びＣＭＰ２に基づいて動作モード（ストロングブリーダ／ウィークブリーダ／オフ）を切り替えるように、第１オン／オフ制御信号と第２オン／オフ制御信号を生成する。ドライバ２０８は、第１オン／オフ制御信号の電流能力を増幅してトランジスタ２０１のゲート信号を生成する。インバータ２０９は、第１オン／オフ制御信号の論理レベルを反転させると共に、その電流能力を増幅してトランジスタ２０２のゲート信号を生成する。
【００４４】
図３は、ブリーダ電流生成動作の一例を示すタイミングチャートであり、上から順に、分圧電圧Ｖａ、比較信号ＣＭＰ１、電流検出電圧Ｖｂ、比較信号ＣＭＰ２、及び、動作モードが描写されている。
【００４５】
ブリーダ電流制御部２０７は、比較信号ＣＭＰ１がローレベルである期間、すなわち、分圧電圧Ｖａが閾値電圧Ｖｔｈ１を下回っている期間において、トランジスタ２０１及び２０２をいずれもオン状態とする。この動作状態は、ブリーダ制御モードがストロングブリーダモード（図３では「ＳＢ［Strong Bleeder］」と標記）に設定された状態に相当する。分圧電圧Ｖａのオフ期間にもトライアック調光器ＤＩＭにはトライアック電流Ｉｄｉｍが流れている。従って、全波整流回路Ｘ１２に接続される負荷が大きいと、上記オフ期間に分圧電圧Ｖａが持ち上がり、閾値電圧Ｖｔｈ１を意図せずに上回って誤動作を生じるおそれがある。一方、分圧電圧Ｖａのオフ期間において、ブリーダ制御モードをストロングブリーダＳＢに設定する構成であれば、全波整流回路Ｘ１２の第１出力端（整流電圧ＶＩＮの印加端）から抵抗２０２（例えば１ｋΩ）を介して接地端に至る電流経路でバイパス電流Ｉｘを流すことができる。従って、全波整流回路Ｘ１２に接続される負荷を小さく見せることができるので、上記オフ期間における分圧電圧Ｖａの持ち上がりを防止することが可能となる。なお、ブリーダ制御モードがストロングブリーダＳＢに設定されているときには、ブリーダ回路Ｘ１５からトライアック調光器ＤＩＭにブリーダ電流ＩＢが流されることはない。
【００４６】
また、ブリーダ電流制御部２０７は、比較信号ＣＭＰ１がハイレベルであるものの、比較信号ＣＭＰ２がローレベルである期間において、トランジスタ２０１をオン状態とする一方、トランジスタ２０２をオフ状態とする。この動作状態は、ブリーダ制御モードがウィークブリーダモード（図３では「ＷＢ［Weak Bleeder］」と標記）に設定された状態に相当する。すなわち、ブリーダ電流制御部２０７は、分圧電圧Ｖａが閾値電圧Ｖｔｈ１を上回っているものの、電源入力電流Ｉｓｕｐが閾値電流を下回っており、電流検出電圧Ｖｂが閾値電圧Ｖｔｈ２を上回っている期間において、ブリーダ回路Ｘ１５からトライアック調光器ＤＩＭにブリーダ電流ＩＢを流すようにブリーダ回路Ｘ１５を制御する。このような動作により、トライアック調光器ＤＩＭのオン時に十分な保持電流Ｉｈｌｄを流すことができる。
【００４７】
また、ブリーダ電流制御部２０７は、比較信号ＣＭＰ１及びＣＭＰ２がいずれもハイレベルである期間において、トランジスタ２０１及び２０２をいずれもオフ状態とする。この動作状態は、ブリーダ制御モードがオフオード（図３では「ＯＦＦ」と標記）に設定された状態に相当する。すなわち、ブリーダ電流制御部２０７は、分圧電圧Ｖａが閾値電圧Ｖｔｈ１を上回っている期間であって、かつ、電源入力電流Ｉｓｕｐが閾値電流を上回っている期間（電流検出電圧Ｖｂが閾値電圧Ｖｔｈ２を下回っている期間）において、バイパス電流Ｉｘ及びブリーダ電流ＩＢを停止するようにブリーダ回路Ｘ１５を制御する。このような動作により、トライアック調光器ＤＩＭに十分なトライアック電流Ｉｄｉｍが流れているときには、バイパス電流Ｉｘ及びブリーダ電流ＩＢを停止して、ブリーダ回路Ｘ１５による電力の浪費を抑えることが可能となる。
【００４８】
＜第２実施形態＞
図４は、ＬＥＤ照明システムの第２実施形態を示す図である。第２実施形態のＬＥＤ照明システム１は、ブリーダ回路搭載型のＬＥＤ照明機器Ｘ１０に代えて、ブリーダモジュールＸ２０を用いる点に特徴を有している。
【００４９】
ブリーダモジュールＸ２０は、ブリーダ回路搭載型のＬＥＤ照明機器Ｘ１０からＬＥＤ照明機能（ＬＥＤドライバ回路Ｘ１３及びＬＥＤモジュールＸ１４）を取り除いたものであり、コネクタＸ２１と、全波整流回路Ｘ２２と、ブリーダ回路Ｘ２３と、を有する。
【００５０】
コネクタＸ２１は、先出のコネクタＸ１１と同様、交流電圧ＶＡＣの印加ラインに着脱可能な形状を有する。コネクタＸ２１は、ＬＥＤ照明機器Ｙ１０に設けられたコネクタＹ１１と同一規格に準拠するものであり、ブリーダモジュールＸ２０は、複数のＬＥＤ照明機器Ｙ１０と並列して交流電圧ＶＡＣの印加ラインに接続される。例えば、天井に敷設されたレールに複数のＬＥＤ照明機器Ｙ１０を並べて取り付けられる場合、ブリーダモジュールＸ２０は、同レール上の目立たない位置（例えば最端部）に取り付けられる。
【００５１】
なお、全波整流回路Ｘ２２及びブリーダ回路Ｘ２３については、第１実施形態の全波整流回路Ｘ１２及びブリーダ回路Ｘ１５と同様であるため、重複した説明は割愛する。
【００５２】
上記したように、第２実施形態のＬＥＤ照明システム１において、ブリーダ回路Ｘ１５は、系内に一つだけ設けられたＬＥＤ照明機能を持たないブリーダモジュールＸ２０に組み込まれている。このような構成とすることにより、先出の第１実施形態と同様、不要な電力損失やトライアック調光器ＤＩＭの誤動作を防止することが可能となる。
【００５３】
また、ブリーダモジュールＸ２０は、その外観がＬＥＤ照明機器Ｙ１０とは大きく異なり、ブリーダ回路の搭載／非搭載を一目で判別することができるので、第１実施形態と比べて施工ミス（ブリーダ回路の複数設置）を生じ難くなる。
【００５４】
＜第３実施形態＞
図５は、ＬＥＤ照明システムの第３実施形態を示す図である。第３実施形態のＬＥＤ照明システム１は、単一のブリーダモジュールＸ３０と複数（ないしは少なくとも一つ）のＬＥＤ照明機器Ｙ２０と、を有する。
【００５５】
ブリーダモジュールＸ３０は、コネクタＸ３１とブリーダ回路Ｘ３２を有する。コネクタＸ３１は、交流電圧ＶＡＣの印加ラインに着脱可能な形状ではなく、ＬＥＤ照明機器Ｙ２０に着脱可能な形状を有する。ブリーダ回路Ｘ３２は、第１実施形態のブリーダ回路Ｘ１５と同様であるため、重複した説明は割愛する。
【００５６】
ＬＥＤ照明機器Ｙ２０は、コネクタＹ２１と、全波整流回路Ｙ２２と、ＬＥＤドライバ回路Ｙ２３と、ＬＥＤモジュールＹ２４と、コネクタＹ２５と、を有する。コネクタＹ２５以外の構成要素Ｙ２１〜Ｙ２４については、第１実施形態の構成要素Ｙ１１〜Ｙ１４と同様であるため、重複した説明は割愛する。コネクタＹ２５は、ブリーダモジュールＸ３０を着脱可能な形状を有する。なお、コネクタＹ２５は、全波整流回路Ｙ２２の後段側に設けられているので、ブリーダモジュールＸ３０には全波整流回路が設けられていない。
【００５７】
上記したように、第３実施形態のＬＥＤ照明システム１において、ブリーダ回路Ｘ１５は、ＬＥＤ照明機器Ｙ２０のいずれかに着脱されるブリーダモジュールＸ３０に組み込まれている。このような構成とすることにより、先出の第１実施形態や第２実施形態と同様に、不要な電力損失やトライアック調光器ＤＩＭの誤動作を防止することが可能となる。
【００５８】
また、ブリーダモジュールＸ３０は、ＬＥＤ照明機器Ｙ２０に装着されるので、第２実施形態と比べて目立たないように設置することが可能となる。
【００５９】
＜その他の変形例＞
なお、本明細書では、トライアック調光器を用いたＬＥＤ照明システムを例に挙げて説明を行ったが、本発明の適用対象はこれに限定されるものではなく、他方式の位相調光器（安定動作のために所定値以上の保持電流を必要とするもの）を用いたＬＥＤ照明システムにも適用することが可能である。
【００６０】
また、系内にただ一つ設けられるブリーダ回路の位置についても、上記の実施形態に限定されるものではなく、例えば、トライアック調光器の裏側などに設置しても構わない。
【００６１】
このように、本明細書中に開示されている種々の技術的特徴は、上記実施形態のほか、その技術的創作の主旨を逸脱しない範囲で種々の変更を加えることが可能である。例えばバイポーラトランジスタとＭＯＳ電界効果トランジスタとの相互置換や、各種信号の論理レベル反転は任意である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００６２】
本発明は、単一のトライアック調光器に複数のＬＥＤ照明機器が並列接続されたＬＥＤ照明システムの消費電力低減や動作安定性向上を実現するために利用することができる。
【符号の説明】
【００６３】
１    ＬＥＤ照明システム
Ｘ１０    ＬＥＤ照明機器（ブリーダ回路あり、位相調光機能あり）
Ｘ２０    ブリーダモジュール（独立型）
Ｘ３０    ブリーダモジュール（ＬＥＤ照明機器への着脱型）
Ｙ１０    ＬＥＤ照明機器（ブリーダ回路なし、位相調光機能あり）
Ｙ２０    ＬＥＤ照明機器（ブリーダモジュール着脱可能、位相調光機能あり）
Ｘ１１、Ｘ２１、Ｙ１１、Ｙ２１    コネクタ（交流電圧ラインへの着脱用）
Ｘ１２、Ｘ２２、Ｙ１２、Ｙ２２    全波整流回路
Ｘ１３、Ｙ１３、Ｙ２３    ＬＥＤドライバ回路
Ｘ１４、Ｙ１４、Ｙ２４    ＬＥＤモジュール
Ｘ１５、Ｘ２３、Ｘ３２    ブリーダ回路
Ｘ３１、Ｙ２５    コネクタ（ブリーダモジュール着脱用）
Ｐ    商用交流電源
ＤＩＭ    トライアック調光器
１０１、１０２    抵抗
１０３    コンパレータ
２０１、２０２    Ｎチャネル型ＭＯＳ電界効果トランジスタ
２０３、２０４、２０５    抵抗
２０６    コンパレータ
２０７    ブリーダ電流制御部
２０８    ドライバ
２０９    インバータ
３０１    ＤＣ／ＤＣコンバータ
３０２    駆動電流制御部
３０３    コンデンサ
３０４    Ｎチャネル型  ＭＯＳ電界効果トランジスタ
３０５    抵抗
３０６    ドライバ
【図１】
0005964593.tif 000002
【図２】
0005964593.tif 000003
【図３】
0005964593.tif 000004
【図４】
0005964593.tif 000005
【図５】
0005964593.tif 000006
【図６】
0005964593.tif 000007
【図７】
0005964593.tif 000008
【図８Ａ】
0005964593.tif 000009
【図８Ｂ】
0005964593.tif 000010